(57)【要約】【課題】１種類で直状保護ダクトと波付保護ダクトとのいずれにも兼用できるものとし、かつ、壁貫通部において良好な外観を得る。【解決手段】内部に冷媒管を収容し、保護する直状保護ダクト３１及び波付保護ダクトのいずれをも挿入可能な受口１３と、前記各保護ダクトの外面と壁材５１の貫通穴５３との隙間を覆う化粧部１２と、前記壁材５１に固定するための固定孔とを備え、前記受口１３に、内方に突出して、前記波付保護ダクトの環状凹部内に入り込み、かつ、前記直状保護ダクト３１の外面と前記受口１３との隙間を該外面に沿って閉塞する突条部１６を設けた。【選択図】図８
2011052831.tif 000002
【特許請求の範囲】
【請求項１】
配線・配管材が壁材に形成された貫通穴を貫通する壁貫通部に取付けられる壁貫通部の化粧カバーであって、
前記配線・配管材の配設経路に沿って設置され、内部に前記配線・配管材を収容し保護する同一断面が連続して形成された直状保護ダクトと、前記配線・配管材の配設経路に沿って設置され、内部に前記配線・配管材を収容し保護する外面に環状の凹凸が形成された波付保護ダクトとのいずれをも挿入可能な少なくとも１の受口と、
前記保護ダクトの外面と前記壁材の貫通穴との隙間を覆う化粧部と、
前記壁貫通部に固定される固定部と
を備え、
前記受口は、内方に突出して、前記波付保護ダクトの環状凹部内に入り込み、かつ、前記直状保護ダクトの外面と前記受口との隙間を該外面に沿って閉塞する突条部が設けられたことを特徴とする壁貫通部の化粧カバー。
【請求項２】
前記直状保護ダクト及び波付保護ダクトは、一側が平坦に形成されて壁面に当接する当接部を備えたことを特徴とする請求項１に記載の壁貫通部の化粧カバー。
【請求項３】
前記突条部は、前記保護ダクトの壁面への当接部を除く外面全体に沿って設けられたことを特徴とする請求項１または請求項２に記載の壁貫通部の化粧カバー。
【請求項４】
前記保護ダクトの長手方向と直交する２方向から組付けられる分割体で形成されたことを特徴とする請求項１乃至請求項３のいずれかに記載の壁貫通部の化粧カバー。
【請求項５】
前記受口における突条部より奥方に、波付保護ダクトの環状凸部を少なくとも１条収容可能な収容空間が形成されたことを特徴とする請求項１乃至請求項４のいずれかに記載の壁貫通部の化粧カバー。
【請求項６】
前記突条部は、受口の開口端部に形成されたことを特徴とする請求項１乃至請求項５のいずれかに記載の壁貫通部の化粧カバー。
【請求項７】
配線・配管材の配設経路に沿って設置され、内部に前記配線・配管材を収容し保護する同一断面が連続して形成された直状保護ダクトと、前記配線・配管材の配設経路に沿って設置され、内部に前記配線・配管材を収容し保護する外面に環状の凹凸が形成された波付保護ダクトとから選択されるいずれか１と、
前記配線・配管材が壁材に形成された貫通穴を貫通する壁貫通部に取付けられ、前記直状保護ダクトと波付保護ダクトとのいずれをも挿入可能な少なくとも１の受口と、前記保護ダクトの外面と前記壁材の貫通穴との隙間を覆う化粧部と、前記壁貫通部に固定される固定部とを有する化粧カバーと
を備え、
前記化粧カバーの受口は、内方に突出して、前記波付保護ダクトの環状凹部内に入り込み、かつ、前記直状保護ダクトの外面と前記受口との隙間を該外面に沿って閉塞する突条部が設けられたことを特徴とする壁貫通部の化粧カバー装置。
【請求項８】
前記直状保護ダクト及び波付保護ダクトは、一側が平坦に形成されて壁面に当接する当接部を備えたことを特徴とする請求項７に記載の壁貫通部の化粧カバー装置。
【発明の詳細な説明】
【技術分野】
【０００１】
本発明は、建物の壁面、床面や配線配管資材等に用いられるボックスの周壁面などに沿って配設されるケーブル等の配線材、給水給湯管やエアコン用冷媒管等の配管材が壁材に形成された貫通穴を貫通する壁貫通部に取付けられ、前記配線材、配管材の配設経路に沿って設置されて内部に前記配線材、配管材を収容し保護する保護ダクトが挿入される壁貫通部の化粧カバー及び化粧カバー装置に関するものである。
【背景技術】
【０００２】
従来より、室内機と室外機との間に配設される前記各種の配線材、配管材は建物の壁面に沿って配設されるとともに、室内外を区画する壁材においてはこれに設けられた貫通穴を貫通して配設されている。前記配線、配管材はその外方に長尺の保護ダクトが取付けられて外部から保護されている。前記保護ダクトには、同一断面が連続して形成された直状保護ダクトと、外面に環状の凹凸が形成された波付保護ダクトとが備えられ、配線・配管経路における配設状態、使用状態に応じて適宜選択して用いられている。前記壁材を貫通する壁貫通部においては、前記保護ダクトはその端部が壁材の貫通穴に挿入された状態で設置され、或いは、先端面が壁面に当接した状態で設置される。そして、この壁貫通部においては、壁材の貫通穴において前記保護ダクトの外面から外側にはみ出した部分を覆うなどして外観を保つために化粧カバーが取付けられている。前記化粧カバーは壁材の貫通穴より大きい化粧部、及び前記保護ダクトの端部が挿入される受口を備えている。
【０００３】
ここで、前記直状保護ダクトに用いられる化粧カバーは、例えば、特開平１１−２２８６６号公報に開示されている。図２５は従来の壁貫通部における化粧カバーを示す斜視図であり、図２５において、建物の直交する壁材５１及び壁材５２のうちの該壁材５１に穿設された貫通穴５３にはエアコン用の冷媒管Ｐが貫通しており、この冷媒管Ｐを収容して保護する直状保護ダクト３１が壁材５２の壁面５５に沿って配設されている。前記直状保護ダクト３１の先端面は一方の壁材５１の壁面５４に当接しており、前記貫通穴５３は前記直状保護ダクト３１の外面から一部が外部にはみ出している。このため、この壁貫通部の全体を覆って外観を保つための化粧カバー６１を前記直状保護ダクト３１に直交させて取付けている。ここで、前記化粧カバー６１において前記直状保護ダクト３１が挿入される受口６２は、前記直状保護ダクト３１の外面との間に大きな隙間を生じて壁貫通部における外観を低下させないよう、前記直状保護ダクト３１の外郭形状と同大、同形状に形成されている。
【０００４】
一方、波付保護ダクトに用いられる化粧カバーは、例えば、特開平１０−１８５２４３号公報に開示されている。図２６は従来の別の壁貫通部の化粧カバーを示す斜視図であり、図２６において、壁材５１の貫通穴５３が設けられている壁面５４には該貫通穴５３を覆うとともに、波付保護ダクト４１の端部が挿着される化粧カバー６３が取付けられている。前記化粧カバー６３は受口６４が斜め下方に向けて開口しており、この受口６４に前記波付保護ダクト４１が斜め下方から挿入されるようになっている。そして、前記受口６４には、前記波付保護ダクト４１の環状凹部４３内に入り込み、係合して、前記波付保護ダクト４１が前記受口６４から抜脱するのを防止する係合爪６５が内方に向けて突設されている。前記波付保護ダクト４１は屈曲性を有するとともに長手方向にも伸縮自在なものであるから、単に受口６４に挿着しただけでは下方への撓みによって外れるおそれがあるからである。
【先行技術文献】
【特許文献】
【０００５】
【特許文献１】特開平１１−２２８６６号公報
【特許文献２】特開平１０−１８５２４３号公報
【発明の概要】
【発明が解決しようとする課題】
【０００６】
ところで、配線・配管材を収容し、保護する保護ダクトは、通常、建物の壁面に沿って配設されるから、一般には、直状保護ダクト３１が使用される。しかし、建物の壁面には各種の突起物が設けられていることもあり、それらが設けられている部分には、自在に屈曲する波付保護ダクト４１を取付けて突起物の廻りを迂回させることが行なわれている。
【０００７】
この場合、壁貫通部において直状保護ダクト３１用の化粧カバー６１に波付保護ダクト４１の端部を挿入しても、前記化粧カバー６１には前記波付保護ダクト４１の環状凹部４３内に入り込んで係合する係合爪６５等が存在しないため、前記波付保護ダクト４１は前記化粧カバー６１から外れるおそれがあった。
【０００８】
また、逆に、波付保護ダクト４１用の化粧カバー６３に直状保護ダクト３１を挿入しようとしても、前記化粧カバー６３の受口６４に内方に向けて突設された係合爪６５等と干渉するため、受口６４内に挿入することはできなかった。
【０００９】
更に、直状保護ダクト３１の外郭寸法を小さくするなどして、前記波付保護ダクト４１用の化粧カバー６３の受口６４内に挿入できるものとしても、前記受口６４と直状保護ダクト３１の外面との間に相当の隙間が発生するため、この部分の見栄えを著しく低下させることとなった。また、前記隙間に塵埃が侵入し、堆積することともなった。
【００１０】
このような不具合が発生することから、同一の配設経路等において１の化粧カバーを直状保護ダクト３１と波付保護ダクト４１とに兼用することはできなかった。このため、各保護ダクトに対応するために２種類の化粧カバーが必要であった。その結果、それらを使い分ける必要があったし、部材コストが高くなり、部品管理も煩雑であった。また、後日、壁面における配設状態の変更等のために直状保護ダクト３１と波付保護ダクト４１とを付け替える必要が生じたとき、化粧カバーも壁面等から取外し、付け替えなければならないため、大変面倒であった。
【００１１】
そこで、本発明は、１種類で直状保護ダクトと波付保護ダクトとのいずれにも兼用でき、かつ、壁貫通部において良好な外観を得ることができる壁貫通部の化粧カバー及び化粧カバー装置の提供を課題とするものである。
【課題を解決するための手段】
【００１２】
請求項１の壁貫通部の化粧カバーは、配線・配管材の配設経路に沿って設置され、内部に前記配線・配管材を収容し保護する同一断面が連続して形成された直状保護ダクトと、前記配線・配管材の配設経路に沿って設置され、内部に前記配線・配管材を収容し保護する外面に環状の凹凸が形成された波付保護ダクトとのいずれをも挿入可能な少なくとも１の受口と、前記保護ダクトの外面と壁材の貫通穴との隙間を覆う化粧部と、壁貫通部に固定される固定部とを備え、前記受口は、内方に突出して、前記波付保護ダクトの環状凹部内に入り込み、かつ、前記直状保護ダクトの外面と前記受口との隙間を該外面に沿って閉塞する突条部が設けられたものである。ここで、壁貫通部とは、壁材に穿設された貫通穴の周辺全体を意味する。また、前記壁材には、建物の外壁や仕切壁等の壁材の他、床材、配線配管資材等に用いられるボックスの周壁なども含まれる。
【００１３】
前記化粧部は、壁材の貫通穴を覆う部分であり、壁貫通部における壁面、床面等に当接した状態で或いは離間した状態で前記貫通穴の全体を覆う。前記受口はその開口より奥方部分も含み、前記直状保護ダクト及び波付保護ダクトが挿入される部分全体を意味し、前記化粧部に一体にまたは別体として設けられている。なお、前記受口は一般には１個のみ設けられるが、２個以上設けることも可能である。化粧カバーを壁面等に固定するための固定部は、前記化粧部等に取付孔などとして設けられており、螺子を挿通して壁面等に螺着するなどにより固定される。
【００１４】
更に、前記受口に内方に突出して設けられた突条部は、波付保護ダクトが挿入されたときには、その環状凹部内に入り込むとともに、直状保護ダクトが挿入されたときには、その挿入後に前記直状保護ダクトの外面と前記受口との間に生ずる隙間を該直状保護ダクトの外面に沿って閉塞するものとなっている。前記突条部は、化粧カバーに波付保護ダクトを挿入するときにおいても、その環状凹部に入り込んで、受口との間に生ずる隙間を前記波付保護ダクトの外面に沿って閉塞する。なお、前記突条部は前記化粧カバーの受口から前記波付保護ダクトがその長手方向に抜脱するのを防止する程度に該波付保護ダクトの環状凹部内に入り込むものであれば足りる。
【００１５】
ここで、受口の突条部と各保護ダクトの外面との寸法関係については、直状保護ダクトの場合、前記受口の突条部の先端面は前記直状保護ダクトの外面と略同一か僅かに外方に位置し、波付保護ダクトの場合、前記受口の突条部の先端面は前記波付保護ダクトの環状凸部の外面と環状凹部の外面との間に位置する。
【００１６】
請求項２及び請求項８の発明は、特に、化粧カバーに取付けられる直状保護ダクト及び波付保護ダクトが、一側が平坦に形成されて壁面に当接する当接部を備えたものである。
【００１７】
請求項３の壁貫通部の化粧カバーは、特に、その突条部が、保護ダクトの壁面への当接部を除く外面全体に沿って設けられている。壁面への当接部を除いたのは、外部に露出しないので、突条部を設けなくても、外観が阻害されることがないからである。ここで、前記突条部は前記保護ダクトの外面に例えば窪み等が形成されている場合は、その窪み等にも延出して隙間を閉塞する。
【００１８】
請求項４の壁貫通部の化粧カバーは、特に、保護ダクトの長手方向と直交する２方向から組付けられる分割体で形成されている。２方向からの組付けは、例えば、両分割体の組付端部に係合凸部と係合凹部とを設けて係合させて行なうことができる。
【００１９】
請求項５の壁貫通部の化粧カバーは、特に、受口における突条部より奥方に、波付保護ダクトの環状凸部を少なくとも１条収容可能な収容空間が形成されたものである。
【００２０】
請求項６の壁貫通部の化粧カバーは、特に、突条部が、受口の開口端部に形成されたものである。
【００２１】
請求項７の壁貫通部の化粧カバー装置は、要するところ、直状保護ダクトと波付保護ダクトとから選択されるいずれか１と、請求項１に記載の化粧カバーとを備えたものである。
【発明の効果】
【００２２】
請求項１の壁貫通部の化粧カバーは、受口の内方に突設された突条部が、受口に波付保護ダクトが挿入されたときには、その環状凹部内に入り込んで係止するように、また、受口に直状保護ダクトが挿入されたときには、その外面と前記受口との隙間を該直状保護ダクトの外面に沿って閉塞するように形成されているから、前記直状保護ダクトと波付保護ダクトとのいずれをも取付けることができ、かつ、これらのいずれを設置したときにおいても壁貫通部の見栄えを良くすることができる。したがって、１の化粧カバーを各保護ダクトに対応して兼用することができる。その結果、部材コストを削減でき、使い分けを不要とし、保管、運搬管理を楽に行なうことができる。
【００２３】
請求項２及び請求項８の発明は、化粧カバーに取付けられる直状保護ダクト及び波付保護ダクトが、一側が平坦に形成されて壁面に当接する当接部を備えているから、前記保護ダクトを直接壁面に固定することができる。そして、化粧カバーはその受口において壁面と対向する側を挿入開口に形成することにより、壁面に固定した前記保護ダクトに対してその長手方向と直交する方向から外嵌することができる。その結果、化粧カバーを前記保護ダクトにおける反壁面側から該保護ダクトに外嵌して壁貫通部に簡単に取付けることができるとともに、化粧カバーを簡易な構成とすることができる。
【００２４】
請求項３の壁貫通部の化粧カバーは、突条部が保護ダクトの壁面への当接部を除く外面全体に沿って設けられているから、前記外面全体に至って隙間を閉塞し、壁貫通部における外観を向上できる。
【００２５】
請求項４の壁貫通部の化粧カバーは、保護ダクトの長手方向と直交する２方向から組付けられる分割体で形成されているから、保護ダクトが壁面に取付けられ、または、保持されている状態で、前記保護ダクトにその長手方向と直交する２方向から簡単に外嵌することができる。
【００２６】
請求項５の壁貫通部の化粧カバーは、受口における突条部より奥方に、波付保護ダクトの環状凸部を少なくとも１条収容可能な収容空間が形成されているから、前記突条部を確実に前記波付保護ダクトの環状凹部内に嵌入させることができる。
【００２７】
請求項６の壁貫通部の化粧カバーは、突条部が、受口の開口端部に形成されているから、前記開口端部において隙間を生じない。このため、この開口端部における見栄えが向上するとともに、この部分への塵埃の侵入及び堆積を防止できる。
【００２８】
請求項７の壁貫通部の化粧カバー装置は、直状保護ダクトと波付保護ダクトとから選択されるいずれか１と、請求項１に記載の化粧カバーとを備えたものであるから、請求項１に記載の化粧カバーと同様の効果を奏する。
【図面の簡単な説明】
【００２９】
【図１】本発明の第一実施形態の壁貫通部の化粧カバーを示す斜視図である。
【図２】図１の化粧カバーの分解斜視図である。
【図３】図１の化粧カバーを背面から見た分解斜視図である。
【図４】図１のＡ−Ａ切断線による断面図である。
【図５】図１のＢ−Ｂ切断線による断面図である。
【図６】図１の化粧カバーの受口に挿入される直状保護ダクトの分解正面図である。
【図７】図１の化粧カバーの上蓋を壁貫通部に取付けるときの状態を示す斜視図である。
【図８】図１の化粧カバーの上蓋を壁貫通部に取付けた状態を示す斜視図である。
【図９】図８の直状保護ダクト及び貫通穴に対する化粧カバーの上蓋の配置状態を示す断面図である。
【図１０】図８の直状保護ダクト及び貫通穴に対する化粧カバーの上蓋の配置状態を示す正面図である。
【図１１】波状保護ダクト及び貫通穴に対する化粧カバーの上蓋の配置状態を示す断面図である。
【図１２】図１の化粧カバーを壁貫通部に取付ける前の状態を示す斜視図である。
【図１３】図１の化粧カバーを壁貫通部に取付けた状態を示す斜視図である。
【図１４】図１の化粧カバーの変形例を示す正面図である。
【図１５】図７と別の化粧カバー及び直状保護ダクトを壁貫通部に取付るときの状態を示す斜視図である。
【図１６】図１５の化粧カバーの直状保護ダクトに対する配置状態を示す正面図である。
【図１７】図１５の化粧カバーの波付保護ダクトに対する配置状態を示す正面図である。
【図１８】第一実施形態における更に別の化粧カバーを示す正面図である。
【図１９】図１８のＣ−Ｃ切断線による断面図である。
【図２０】本発明の第二実施形態の壁貫通部の化粧カバーを示す斜視図である。
【図２１】図２０のＤ−Ｄ切断線による断面図である。
【図２２】直状保護ダクト及び貫通穴に対する図２０の化粧カバーの上蓋の配置状態を示す断面図である。
【図２３】波付保護ダクト及び貫通穴に対する図２０の化粧カバーの上蓋の配置状態を示す断面図である。
【図２４】第一実施形態における更に別の化粧カバーを示す断面図である。
【図２５】従来の化粧カバーを壁貫通部に取付ける状態を示す斜視図である。
【図２６】従来の別の化粧カバーを示す斜視図である。
【発明を実施するための形態】
【００３０】
〈第一実施形態〉
以下、まず、本発明の第一実施形態の壁貫通部の化粧カバーを図１乃至図１３に基づいて説明する。ここで、図１乃至図５は第一実施形態の化粧カバーを示し、図１はその斜視図、図２は同じく分解斜視図、図３は背面から見た分解斜視図、図４は図１のＡ−Ａ切断線による断面図、図５は図１のＢ−Ｂ切断線による断面図である。
【００３１】
図１乃至図５において、化粧カバー１は配線・配管材が壁材の貫通穴を貫通する壁貫通部に取付けられるものであり、矩形枠板状の鍔に形成されて前記壁貫通部を覆う化粧部２と、その中央に前方に向けて突出して後述する保護ダクトが挿入される受口３とで構成されている。前記受口３は前記化粧部２の略中央部において全周に至って一定高さで突出しており、前面の開口４から前記保護ダクトを内部に挿入できるようになっている。また、前記化粧カバー１は上下に２分割された、略コ字状の枠体に形成された上蓋１１と略Ｌ字板状に形成された下蓋２１とで構成されたものでもある。但し、前記化粧カバー１はこれらの上蓋１１と下蓋２１とを組付けた状態で使用されるが、前記上蓋１１単独で使用される場合も多く、この場合は、前記化粧カバー１は前記上蓋１１のみで構成される。
【００３２】
前記化粧部２には壁面に固定するための固定部が設けられている。また、前記受口３の上蓋１１側には本願発明の特徴とする突条部１６が設けられている。前記上蓋１１及び下蓋２１は合成樹脂等の成形加工により形成されている。ここで、前記化粧カバー１と保護ダクトとで化粧カバー装置が構成される。また、前記保護ダクトは建物の壁面に沿って配設されて内部に配線・配管材を収容し、保護するものであり、同一断面が連続して形成された直状保護ダクト３１、及び外面に環状の凹凸が形成されて、即ち、環状凸部４２と環状凹部４３とが長手方向に交互に形成されて、屈曲性を有する波付保護ダクト４１が用いられ、これらは配設経路状況に応じて選択使用される。
【００３３】
前記化粧カバー１を更に具体的に説明すると、まず、前記化粧カバー１を構成する上蓋１１は、略コ字枠状の平板に形成された化粧部１２と、前記化粧部１２の内部側端部に立設し、一定高さで前方に突出する受口１３とが一体に設けられている。ここで、前記受口１３は保護ダクトが挿入される挿入部全体を意味する。前記受口１３における開口１４は前記直状保護ダクト３１及び波付保護ダクト４１のいずれをも挿入可能な大きさに形成されている。
【００３４】
そして、前記受口１３の開口１４側の先端部である開口端部には前記開口１４の周縁部に沿って前述した本願発明の特徴とする突条部１６が前記受口１３の内方に向けて一体に設けられている。この突条部１６の厚さは前記波付保護ダクト４１の環状凹部４３の幅より小さく形成されている。また、受口３の軸心方向である内方への突出量は、図１１に示すように、前記受口１３の開口１４内に挿入された波付保護ダクト４１の環状凹部４３内に嵌入する長さ、即ち、環状凸部４２の外面と環状凹部４３の外面との中間位置まで延出する長さであり、環状凹部４３に掛止して前記波付保護ダクト４１が受口３から抜脱するのを防止する長さに形成されており、更に、図９に示すように、その先端面１６ａが前記直状保護ダクト３１の外面に極く近接する長さに形成されている。これにより、化粧カバー１の受口３の開口４と前記直状保護ダクト３１の外面との間に隙間はほとんど生じないものとなる。更に、前記受口１３における突条部１６より奥方の内面１３ａには前記波付保護ダクト４１の環状凸部４２を少なくとも１条収容可能な収容空間が形成されている。
【００３５】
更に、前記上蓋１１の化粧部１２は、前記受口１３の下方を除く３方の外側に一体に形成されており、裏面側は全体的に建物の壁面に当接するよう平面状に形成されている。そして、前記化粧部１２には、複数の固定孔１５が設けられており、螺子５６を取付けて壁面に螺着して固定することにより、前記上蓋１１を壁貫通部に取着できるようになっている。なお、前記上蓋１１の壁面への固定は螺子５６による螺着に替えて、他の固定手段、例えば、両面接着テープ、接着剤による接着などによって固定してもよい。更に、前記化粧部１２の裏面側の左右両側の下端部には、係合凹部１７ａと、相対向して略く字状に突出する係合凸部１７ｂとが上下に並置されてなる係合部１７が設けられている。また、前記化粧部１２の表面側の左右両側の下端部には、後述する下蓋２１の左右両側に設けられた嵌合凸部２６と嵌合する嵌合凹部１８が設けられている。
【００３６】
一方、化粧カバー１の下部に配設された下蓋２１は、細板状に形成された化粧部２２と、前記化粧部２２における前記上蓋１１と対向する側端部に該化粧部２２と直交して一体に立設された受口２３とで構成されている。前記受口２３は直状の細板で形成され、前記上蓋１１の受口１３と同一の立設高さに形成されており、前記上蓋１１の受口１３とともに該上蓋１１に形成された開口１４を囲っている。なお、化粧カバー１は開口４の下側縁部を境界として上蓋１１と下蓋２１とに２分割しているが、前記下蓋２１を前記上蓋１１と同様にコ字状に形成して、化粧カバー１を開口４の幅方向における中間位置で上下にまたは左右に２分割した構成としてもよい。このようにして形成された化粧カバー１の開口４は前記直状保護ダクト３１及び波付保護ダクト４１のいずれをも挿入可能な大きさに形成されている。
【００３７】
更に、前記化粧部２２の裏面側は平坦面に形成されて全体が壁面に当接するものとなっている。そして、前記化粧部２２には複数の固定孔２４が設けられており、螺子５６を取付けて壁面に螺着して固定することにより、前記下蓋２１を壁貫通部に取着できるようになっている。なお、前記下蓋２１の壁面への固定は、前記上蓋１１と同様に、螺子５６による螺着に替えて他の固定手段によって固定してもよい。また、前記下蓋２１の裏面側の左右両側の上端には、それぞれ前記上蓋１１の係合凹部１７ａ及び係合凸部１７ｂと係合する係合凸部２５ａ及び係合凹部２５ｂが上下に並置されてなる係合片２５が立設されている。前記係合凸部２５ａは互いに反対側に略く字状に突出している。
【００３８】
このように形成された前記上蓋１１及び下蓋２１は、両方向から互いに近接させて強制的に圧接することにより、前記上蓋１１の左右両側の下端部が弾性的に左右側方に拡開し、前記上蓋１１の係合凸部１７ｂが前記下蓋２１の係合凹部２５ｂに、また、前記下蓋２１の係合凸部２５ａが前記上蓋１１の係合凹部１７ａに圧入されて、着脱自在に組付けられる。このとき、同時に、下蓋２１の表面側の嵌合凸部２６が上蓋１１の表面側の嵌合凹部１８と嵌合し、前記下蓋２１の係合片２５と前記嵌合凸部２６とで前記上蓋１１の左右両側の下端部を挟持するので、前記上蓋１１と下蓋２１とは互いに前後方向即ち開口４と直交する方向にずれるのが防止され、安定した組付状態が得られる。
【００３９】
次に、前記化粧カバー１の受口３に挿入される保護ダクトについて説明する。まず、前記直状保護ダクト３１は、図６に示すように、長手方向に沿って断面形状が一定の矩形枠状に形成されており、壁面に固定可能なベース３１と前記ベース３１に弾性的に嵌着されるカバー３３との２分割体を組付けて成る。前記ベース３２は上方に開口する略コ字状の一定断面に形成されており、底部の基板３４の左右両側に立設する側壁３５の上端部に前記カバー３３の後述するフランジ３８と嵌合する嵌合溝３６が形成されている。前記カバー３３は前記ベース３２の上部開口を覆う覆蓋部３７が上方に緩やかに湾曲した蓋状に形成され、幅方向の左右両端部に水平方向に屈曲して前記ベース３２の嵌合溝３６内に嵌合するフランジ３８が一体に設けられている。なお、前記ベース３２の基板３４は請求項の当接部に相当する。
【００４０】
前記ベース３２は成形時に左右の両側壁３５の上部が僅かに外側に反った状態で成形されており、上方からカバー３３を強制的に押込むことにより、前記両側壁３５の上部が内部側に撓んで嵌合溝３６への前記カバー３３のフランジ３８の嵌入を可能としている。これにより、前記カバー３３は前記ベース３２に弾性的に着脱自在に組付けられ、安定した直状保護ダクト３１が得られる。なお、前記カバー３３はコ字状の断面に形成することによりこれ単独で壁面に配設し、使用することも可能である。
【００４１】
一方、波付保護ダクト４１は、略矩形枠状に形成され、環状凸部４２と環状凹部４３とが交互に長手方向に配設されて成り、屈曲性を有するとともに、長手方向に伸縮自在なものとなっている。このため、配設経路の曲がり部や迂回部に設けられる。更に、前記波付保護ダクト４１の底面部は、図示しないが、例えば、本件出願人が先に開示した特開平１０−６８５３６号公報に掲載の切割部が長手方向に連続して形成され、または、必要に応じてカッター等の工具を使用して形成できるようになっており、この切割部において前記底面部を幅方向に拡開できるようになっている。これにより、配線材、配管材が壁面に沿って配設されている状態で、前記波付保護ダクト４１の切割部において両側に拡開し、前記波付保護ダクト４１を前記配線材、配管材に沿ってその上方から覆うようにして取付けることができる。
【００４２】
次に、上記のように構成された本実施形態の化粧カバーを壁貫通部に取付ける方法を図７乃至図１１に基づいて説明する。なお、本実施形態では、化粧カバー１は上蓋１１のみで構成されたものを使用し、また、配線・配管材としてエアコン用冷媒管を使用した例を示す。
【００４３】
図７において、建物の２つの壁材５１及び壁材５２が直交する隅部において該一方の壁材５１には貫通穴５３が形成されており、これに他方の壁材５２の壁面５５に沿って配設されているエアコン用の冷媒管Ｐが貫通している。ここで、前記貫通穴５３は、通常、少なくとも、これを穿設する穿孔具のカバー部等が他方の壁面５５と干渉するのを回避する分だけ前記他方の壁材５２の壁面５５から離間した位置に設けられる。したがって、前記冷媒管Ｐは前記他方の壁材５２の壁面５５から所定距離離間した空中に配設されることとなる。但し、前記貫通穴５３を鋸等の工具によって角穴等に形成した場合には、前記貫通穴５３はほぼ前記他方の壁面５５に接する状態で穿設することが可能であるから、冷媒管Ｐは前記壁面５５に当接した状態で配設することもできる。
【００４４】
今、前記冷媒管Ｐを保護すべく他方の壁材５２の壁面５５に沿って直状保護ダクト３１を配設するものとする。そこで、前記冷媒管Ｐが配設されている状態で、まず、前記直状保護ダクト３１のベース３２を前記冷媒管Ｐと壁面５５との間隙に通し、その先端面を一方の壁材５１の壁面５４に当接した後、その状態で前記ベース３２の基板３４に設けた図示しないねじ孔に螺子を挿通して他方の壁材５２に螺着する。次いで、前記ベース３２の上方開口側からカバー３３を押込むことにより、前記カバー３３のフランジ３８を弾性的に前記ベース３２の嵌合溝３６に嵌合させる。これにより、前記カバー３３は着脱自在にベース３２に取着される。この状態においては、一方の壁材５１に設けられた貫通穴５３の一部は、一般には、直状保護ダクト３１から外方にはみ出し、壁表に露出している。なお、前記冷媒管Ｐと壁面５５との間隙が極く小さく、冷媒管Ｐを配設後に前記ベース３２を前記間隙に挿入することができない場合は、先にベース３２を他方の壁面５５に取付けた後、冷媒管Pを前記ベース３２内に挿入すればよい。
【００４５】
次に、このようにして冷媒管Ｐと直状保護ダクト３１とを配設したら、前記直状保護ダクト３１の端部に、他方の壁面５５と直交し、直状保護ダクト３１の長手方向と直交する方向から化粧カバー１の上蓋１１の受口１３を該直状保護ダクト３１に外嵌するとともに、前記化粧カバー１の化粧部１２の裏面側を一方の壁材５１の壁面５４に当接する。次いで、化粧部１２の固定孔１５に螺子５６を挿通し、前記壁材５１に螺着して化粧カバー１を固定する。これにより、前記壁材５１に設けられた貫通穴５３のはみ出し部分は、図８乃至図１０に示すように、前記化粧カバー１の化粧部１２によって完全に覆われる。
【００４６】
そして、前記化粧カバー１の上蓋１１の受口１３の開口端部には突条部１６が形成されており、化粧カバー１が取着された状態で、前記突条部１６の先端面１６ａが直状保護ダクト３１の外面に沿うように形成されているので、図８及び図９に示すように、上蓋１１の受口１３と前記直状保護ダクト３１の外面との間に形成される隙間は該外面全周に至って塞がれる。
【００４７】
次に、配線配管経路の曲がり部、迂回部等において前記直状保護ダクト３１に替えて波付保護ダクト４１を配設する場合における壁貫通部への化粧カバー１の取付けについて説明する。
【００４８】
まず、冷媒管Ｐを一方の壁材５１の貫通穴５３内に貫通した後、前記波付保護ダクト４１において長手方向に連続して形成された切割部を両側方に拡開して、そこに形成された切割開口から内部に冷媒管Ｐを収容するようにして覆うとともに、前記波付保護ダクト４１の先端面を一方の壁材５１の壁面５４に当接させ、或いは、近接させ、他方の壁面５５に沿って配置する。ここで、前記波付保護ダクト４１は前記切割部の拡開を解除すれば、前記切割部は弾性的に元の閉塞状態に復元し、冷媒管Ｐは周囲全体が前記波付保護ダクト４１によって覆囲される。
【００４９】
次に、前記波付保護ダクト４１を保持しつつ、化粧カバー１の上蓋１１を他方の壁面５５と直交する方向であって前記波付保護ダクト４１の長手方向と直交する方向から接近させ、図１１に示すように、前記上蓋１１の受口１３における突条部１６を前記波付保護ダクト４１における先端側の環状凹部４３内に押込んで壁面５５との対向面を除く全周に至って入り込ませる。ここで、前記受口１３の内面１３ａには前記波付保護ダクト４１の環状凸部４２が収容可能な空間が形成されているので、上蓋１１の突条部１６は壁面５５との対向面を除く全周に至って確実に入り込ませることができる。次いで、前記上蓋１１の化粧部１２の固定孔１５に螺子５６を挿通し、一方の壁面５４に螺着して該上蓋１１を固定する。これにより、前記波付保護ダクト４１は長手方向に僅かに伸縮しつつ、先端面が壁面に当接し、或いは、近接して壁貫通部の所定位置に配置されるとともに、壁穴５３のはみ出し部分は前記上蓋１１の化粧部１２によって覆われる。
【００５０】
この結果、前記波付保護ダクト４１は、前記上蓋１１の突条部１６が環状凹部４３における壁面５５との対向面側を除く全周に沿って入り込み、掛止することにより、壁貫通部からの抜脱が防止される。そして、前記突条部１６が前記波付保護ダクト４１の環状凹部４３内に入り込むことによって、受口１３の開口１４と波付保護ダクト４１との隙間は閉塞される。なお、前記波付保護ダクト４１における壁面５５との対向面側は、突条部１６が入り込んでいないものの、また、切割部が形成されてはいるものの、外部から隠蔽された部分であるから、外観に関して影響を受けることがない。
【００５１】
次に、上記は化粧カバー１が上蓋１１単独で構成された場合の壁貫通部への取付けについて説明したが、化粧カバー１が上蓋１１と下蓋２１とを組付けて構成された場合の壁貫通部への取付けについて図１２及び図１３に基づいて説明する。なお、ここでは、保護ダクトが直状保護ダクト３１である場合について説明するが、波付保護ダクト４１である場合についても同様であるから、その説明は省略する。
【００５２】
図１２及び図１３において、一方の壁材５１に穿設された壁穴５３は、これを穿設する穿孔具のカバー部等が他方の壁面５５と干渉するのを回避するため、或いは、壁貫通部における周辺の状況により、前記他方の壁材５２の壁面５５からある程度離間した位置に設けられることがある。このようなある程度離間した位置に壁穴５３が設けられている場合には、冷媒管Ｐに加えて直状保護ダクト３１についても、前記壁面５５から離間した空中に配設されることがある。この場合には、化粧カバー１は壁面５５と直状保護ダクト３１との隙間に下蓋２１が更に取付けられることとなり、前記化粧カバー１は上蓋１１と下蓋２１とを組付けたものが用いられる。
【００５３】
そこで、まず、化粧カバー１の下蓋２１を一方の壁面５４の所定位置に配置し、前記下蓋２１の化粧部２２を前記壁面５４に当接して固定孔２４に螺子５６を挿通し、前記壁面５４に螺着して固定する。次に、上記実施形態と同様にして、壁穴５３に冷媒管Ｐを貫通させるとともに、直状保護ダクト３１を壁面５５から離間して該壁面５５に沿って配設する。このとき、前記直状保護ダクト３１の先端面は壁面５４と当接し、または、壁穴５３内に挿入した状態となる。
【００５４】
次いで、化粧カバー１の上蓋１１を前記直状保護ダクト３１と直交する方向から接近させて前記上蓋１１の受口１３を該直状保護ダクト３１に外嵌するとともに、前記下蓋２１に組付ける。このとき、上蓋１１を下蓋２１に向けて押込むことにより、前記上蓋１１の裏面側の係合凸部１７ｂは下蓋２１の裏面側の係合凹部２５ｂと係合し、前記下蓋２１の裏面側の係合凸部２５ａは上蓋１１の裏面側の係合凹部１７ａと係合する。また、下蓋２１の表面側の嵌合凸部２６は上蓋１１の嵌合凹部１８と嵌合して該下蓋２１の係合片２５とで上蓋１１の化粧部１２の左右両端部を挟持する。これにより、前記上蓋１１は一方の壁面５４に取着されている下蓋２１に簡単に組付けることができるとともに、前記上蓋１１と下蓋２１とは安定した組付状態に保持される。
【００５５】
このようにして化粧カバー１が取付けられると、上記実施形態と同様に、壁穴５３は化粧カバー１の上蓋１１の化粧部１２及び下蓋２１の化粧部２２によって完全に塞がれ、一部が壁表側に露出するのが防止される。また、直状保護ダクト３１の外面と化粧カバー１の受口３の開口４との隙間は全周に至って突条部１６によって覆われる。
【００５６】
次に、このように構成された本実施形態の化粧カバーの作用を説明する。
化粧カバー１の受口３の内方に突設された突条部１６は、受口３に挿入された波付保護ダクト４１の環状凹部４３内に嵌入するとともに、前記受口３に挿入された直状保護ダクト３１と該受口３との隙間を該直状保護ダクト３１の外面に沿って閉塞する。これにより、前記直状保護ダクト３１と波付保護ダクト４１とのいずれも同一の化粧カバー１に取付けることができ、しかも、これらのいずれにおいても前記突条部１６が化粧カバー１の受口３の開口４と保護ダクトの外面との隙間を覆うことによって壁貫通部の外観が向上する。その結果、これら２つの条件を具備することにより、１の化粧カバー１を直状保護ダクト３１及び波付保護ダクト４１に兼用することができる。
【００５７】
なお、上記実施形態において、化粧カバー１の突条部１６は直状保護ダクト３１の外面に沿って取付けられ、また、波付保護ダクト４１の環状凹部４３内に嵌入するものとなっており、寸法的に、直状保護ダクト３１の内径と波付保護ダクト４１の環状凹部４３の内径とはほぼ等しい、即ち、両者の内容量はほぼ等しいものとなっている。このため、同一の配線配管経路に直状保護ダクト３１と波付保護ダクト４１との双方が配設されている配管状態において、前記２種の保護ダクトは収容密度がほぼ等しい状態で冷媒管Ｐ等を収容することができる。したがって、いずれか一方の保護ダクトについて、冷媒管Ｐ、ドレン管等の複数の配管が著しく密集した状態で収容されたり、逆に、がさついた状態で収容されたりする不具合を回避できる。
【００５８】
ところで、上記各実施形態においては、直状保護ダクト３１のカバー３３の覆蓋部３７は上方に緩やかに湾曲した蓋状に形成されているが、例えば、図１４に示すように、幅方向の２箇所において窪み３９が長手方向に沿って形成されたものである場合には、化粧カバー１の突条部１６もその形状に対応して、先端面１６ａが前記直状保護ダクト３１の窪み３９内に延出して前記カバー３３の覆蓋部３７の外面に沿った形状のものとなる。
【００５９】
また、上記各実施形態においては、化粧カバー１の上蓋１１の突条部１６は、直状保護ダクト３１の壁面への当接部を除く外面の全周に沿って設けられているが、保護ダクトの外面と受口１３の内面１３ａとに隙間を生じない部分においては設ける必要がなく、この場合は、保護ダクトの壁面への当接部を除く外面の一部に沿って設けられることとなる。例えば、直状保護ダクト３１が、図１５及び図１６に示すように、カバー３３の覆蓋部３７の幅方向における２箇所に該カバー３３の長手方向に沿って窪み３９が形成され、ベース３２の左右両側壁３５に凹部４０が形成され、前記ベース３２の左右両側壁３５の下端部に内側に向けた傾斜面が形成されており、これらの部分においてのみ、挿入後に上蓋１１の受口１３の内面１３ａとの間に隙間を生ずる場合には、上蓋１１の突条部１６は、直状保護ダクト３１の外面の一部である、これらの隙間を生ずる部分にのみ設ければよい。
【００６０】
図１５及び図１６に示す上蓋１１は、壁材としての床材５７の床面５８に取付けられるものを示しており、前記床材５７への固定部は上蓋１１の左右両下端部に固定座部が設けられ、この固定座部に固定孔１５が貫通形成されたものとなっている。この上蓋１１の場合には、左右両側の突条部１６は、前記直状保護ダクト３１のベース３２の左右両側壁３５の凹部４０内に入り込むことになるので、一般には、前記直状保護ダクト３１を床材５７に設置してからでは、その上方から上蓋１１を取付けることはできず、先に、上蓋１１を壁材５１に取付けた後、前記上蓋１１の受口１３の開口１４内に前記直状保護ダクト３１の先端部を挿入することになる。但し、上蓋１１が左右両側方に弾性的に拡開するものであれば、先に直状保護ダクト３１を床材５７に設置した後に、上蓋１１を左右両側方に拡開しつつ前記直状保護ダクト３１にその上方から取付けることも可能である。
【００６１】
なお、図１５及び図１６に示す上蓋１１においては、前記直状保護ダクト３１のベース３２の両側壁３５の下端部において床面５８との間で形成される三角形状の隙間には、突条部１６は設けていない。これは、前記床面５８との当接箇所は外部からほとんど視認されないため、外観上特に設ける必要がないためである。即ち、前記突条部１６は少なくとも外部から視認される部分においては保護ダクトの外面に沿って設けて隙間を覆う必要があるが、外部から視認されない部分或いはほとんど目立たない部分においては必ずしも設けなくてもよい。但し、これらの部分においても突条部１６を設けることは何ら差し支えない。
【００６２】
次に、図１５及び図１６に示した上蓋１１の受口１３に波付保護ダクト４１を挿入した場合は、図１７に示した状態となる。なお、図１５及び図１６に示した直状保護ダクト３１は、カバー３３に窪み３９を、ベース３２に凹部４０等を設けた形状としているが、これは、前記上蓋１１の受口１３に設けられて前記波付保護ダクト４１の環状凹部４３内に入り込んで係止する係合片に対応して形成したものであると言うこともできる。即ち、上蓋１１の突条部１６は前記波付保護ダクト４１の環状凹部４３内に入り込んで係止する係合片でもあり、前記直状保護ダクトはこの係合片との干渉を回避すべく前記形状に形成されたものでもある。但し、この直状保護ダクト３１の場合は、前記窪み３９及び凹部４０等が内部側に突出する分、内容積は小さくなり、外形状は前記波付保護ダクト４１の環状凹部４３に係止する係合片に対応する形状に制約されることとなる。
【００６３】
ところで、前記突条部１６は上蓋１１に設けているが、下蓋２１に設けてもよく、或いは、上蓋１１及び下蓋２１の双方に設けてもよい。また、化粧カバー１の突条部１６の先端面１６ａは角部をＲ状に面取加工しておいてもよく、この場合には、波付保護ダクト４１の環状凹部４３内への嵌入が容易となる。
【００６４】
更に、前記化粧カバー１の突条部１６は、少なくとも波付保護ダクト４１の環状凹部４３に掛止して抜脱を防止できる剛性を有するものであれば、全体的に或いは部分的に薄膜状に形成し、弾性的に前後方向に撓むものとしてもよい。この場合は、波付保護ダクト４１の先端部を多少変形させながら化粧カバー１の受口３の正面側からその開口４内に挿入することが可能となる。その結果、先に、化粧カバー１を壁面５４に固定してから、波付保護ダクト４１を長手方向に伸縮させながら化粧カバー１の開口４内に挿入させることができ、また、直状保護ダクト３１においても、同様に、化粧カバー１を固定した後に前記開口４内に挿入することができる。したがって、この場合には、化粧カバー１の固定作業を前記各保護ダクトが配置されていない比較的広いスペースにおいて行なうことができるため、前記固定作業を楽にかつ確実に行なうことができる。
【００６５】
次に、本発明の別の実施形態の化粧カバーを図１８及び図１９に基づいて説明する。
図１８及び図１９において、化粧カバー１の上蓋１１の受口１３に設けられた突条部１６は開口１４内への突出量を長く形成し、その中間部分に二点鎖線で示すような２箇所のコ字状の折取り溝１６ｂを形成して、前記２箇所の折取り溝１６ｂのいずれかで、図１９において示せば、一点鎖線イ及び一点鎖線ロのいずれかの位置で折取れるものとすることもできる。この場合には、外郭サイズの異なる複数種の保護ダクトに対して一の化粧カバー１で対応することが可能となる。
【００６６】
〈第二実施形態〉
次に、本発明の第二実施形態の壁貫通部の化粧カバーを図２０乃至図２３に基づいて説明する。ここで、図２０及び図２１は第二実施形態の化粧カバーを示し、図２０はその斜視図、図２１は図２０のＤ−Ｄ切断線による断面図である。
【００６７】
図２０及び図２１において、第二実施形態の化粧カバー１は、基本的には、第一実施形態の化粧カバー１と同様の構成となっており、次の点において相違する。まず、第二実施形態の化粧カバー１は上蓋１１に突条部１６は形成されていない一方、前記上蓋１１の受口１３の上壁部の中央において開口１４から奥方の内面１３ａに、この内面１３ａと直交して内方に向けて突出する矩形板状の突片部１９が設けられている。次に、第二実施形態の化粧カバー１の受口３は、前記各保護ダクトの外面と前記受口３の内面との間に隙間を生じないよう該外面に沿って形成されている、即ち、前記受口３の内面が前記各保護ダクトの外面に極く近接して隙間をほとんど生じない状態に形成されている。そして、前記受口３に挿入される前記直状保護ダクト３１と波付保護ダクト４１とは、外郭形状及び大きさが同一に形成されている。
【００６８】
なお、この第二実施形態の化粧カバー１も、第一実施形態の化粧カバー１と同様に、上蓋１１と下蓋２１とを組付けて構成されているが、上蓋１１のみで構成されるものでもあり、壁貫通部における保護ダクト等の配設状況から、前記上蓋１１単独で使用されることも多い。ここで、前記上蓋１１の受口１３の奥方に設けられた突片部１９は、前記化粧カバー１の受口３内に前記直状保護ダクト３１が挿入されたときに、前記直状保護ダクト３１の先端面と当接してそれ以上の進入を規制するものである。したがって、図２０及び図２１においては、前記突片部１９は上蓋１１の受口１３の上壁部の中央に形成しているが、他の、例えば受口１３の側壁部、或いは前記上壁部と側壁部との双方に形成してもよく、また、下蓋２１の受口２３に設けてもよい。更には、前記化粧カバー１の受口３の開口４の周縁に沿って全周に設けてもよい。
【００６９】
前記突片部１９は波付保護ダクト４１の環状凹部４３内に入り込むものであるから、前記環状凹部４３の幅より小さい厚さに形成されている。また、波付保護ダクト４１の環状凹部４３内に入り込み、かつ、直状保護ダクト３１の先端面が当接するものであるから、前記突片部１９の突出長さは、その先端面１９ａが環状凹部４３の外面と当接または該外面の外方に位置する大きさであって、前記直状保護ダクト３１の外面より内部側に位置する大きさに形成されている。但し、前記直状保護ダクト３１と波付保護ダクト４１とは、外郭形状及び大きさが同一に形成されているから、前記波付保護ダクト４１の環状凹部４３内に入り込む突出長さであれば、先端面１９ａは、自ずと、前記直状保護ダクト３１の外面より内部側に位置し、前記突片部１９は前記直状保護ダクト３１の先端面と当接することとなる。
【００７０】
次に、第二実施形態の化粧カバー及び保護ダクトの壁貫通部における取付けについて説明する。
第二実施形態の化粧カバー１は、第一実施形態の化粧カバー１と同様に、上蓋１１と下蓋２１とを組付けて使用され、または、上蓋１１のみで構成されてこの上蓋１１単独で使用される。但し、第二実施形態の化粧カバー１は、前記上蓋１１の受口１３の奥方に設けられた突片部１９が、前記直状保護ダクト３１の先端面と当接してそれ以上の進入を規制するものであるから、直状保護ダクト３１の設置に先立って壁貫通部に取着される。
【００７１】
そこで、図２２に示すように、直状保護ダクト３１のベース３２を壁材５２の壁面５５に当接した状態で設置する場合を説明する。この場合には、化粧カバー１は上蓋１１のみで構成された状態で使用される。最初に、冷媒管Ｐを壁材５１の貫通穴５３に挿通した状態で、前記貫通穴５３の全体を化粧部１２で覆うようにして化粧カバー１つまりは上蓋１１を取付ける。前記上蓋１１の取付けは、化粧部１２の固定孔１５に螺子５６を挿通し、壁材５１に螺着することにより行なうことができる。このとき、壁貫通部にはまだ直状保護ダクト３１は設置されていないため、比較的広いスペースにおいて螺子５６の螺着作業を行なえるから、化粧カバー１の固定作業を楽にかつ確実に行なうことができる。
【００７２】
次に、直状保護ダクト３１をその長手方向から前記化粧カバー１の受口３内に挿入する。ここで、前記受口３内には突片部１９が内方に向けて突設されているので、前記直状保護ダクト３１はその先端面が前記突片部１９と当接し、それ以上奥方に進入するのが規制される。
【００７３】
なお、波付保護ダクト４１を設置する場合は、図１１に示した第一実施形態の波付保護ダクト４１と同様にして、図２３に示すように、冷媒管Ｐを壁材５１の貫通穴５３に挿通した後、波付保護ダクト４１を壁面５５に沿って配置し、これを保持しつつ、化粧カバー１を壁材５１の壁面５４に固定し、突片部１９を前記波付保護ダクト４１の環状凹部４３内に嵌入すればよい。これにより、前記波付保護ダクト４１は環状凹部４３が前記突片部１９と係合し、前記化粧カバー１からの抜脱が防止される。
【００７４】
このようにして、化粧カバー１が壁貫通部に設置された場合は、前記化粧カバー１の受口３が各保護ダクトの外面に沿うように形成されているので、前記受口３の内面と前記各保護ダクトとの間には隙間はほとんど生じない。したがって、受口３における外観は向上する。ここで、前記突片部１９は、受口１３の奥方において、波付保護ダクト４１が挿入されたときに、前記波付保護ダクト４１の環状凸部４２が奥行方向において前記受口１３の開口端部に配置されるように設定しておけば、挿入後、前記波付保護ダクト４１の環状凸部４２は前記受口１３の開口端部に位置し、前記受口１３の開口１４と前記波付保護ダクト４１の環状凸部４２との間に隙間はほとんど生ぜず、壁貫通部の外観は更に向上する。
【００７５】
なお、上記第二実施形態において、化粧カバー１を上蓋１１と下蓋２１とを組付けて構成したものである場合の壁貫通部への取付けについては、図１２及び図１３に示した第一実施形態のものと同様であるから、その説明は省略する。
【００７６】
ところで、第一実施形態の前記化粧カバー１は、図２４に示すように、第二実施形態の化粧カバーと同様に、受口４において突条部１６が設けられている開口端部より奥方に保護ダクトの進入を規制する進入規制突起２０を更に設けてもよい。この場合は、化粧カバー１を壁面５４に取付けた後に保護ダクトを受口３内に挿入するときに、それ以上の奥方への進入を防止できる。そして、前記突条部１６と進入規制突起１９との間隔を波付保護ダクト４１の先端と環状凹部４３との間隔と等しくなるように予め設定しておくことにより、波付保護ダクト４１の先端面を前記進入規制突起２０に突き当てたとき、自ずと、波付保護ダクトの環状凸部４２は前記突条部１６に対応する箇所に位置決めされるようにすることもできる。
【００７７】
また、第二実施形態の化粧カバー１においても、上蓋１１と下蓋２１とは開口４の下側縁部において２分割しているが、前記開口４の幅方向の中間位置で上下にまたは左右に２分割したものとしてもよい。
【００７８】
そして、上記各実施形態における配線・配管材は、エアコン用冷媒管Ｐを示しているが、ケーブル等の配線材、給水給湯管等の配管材であってもよいことは言うまでもない。
【００７９】
更に、上記各実施形態における化粧カバー１は、建物の壁材に取付けられたものを示しているが、床材や配線配管資材として用いられるボックスの周壁材などにおいても同様にして適用される。
【００８０】
加えて、上記各実施形態の直状保護ダクト３１は、ベース３２とカバー３３との２分割体を組付けて成るが、これに限られるものではなく、ベース３２とカバー３３とをそれらの間に設けられたヒンジ等によって連結して一体に形成したものであってもよく、また、一体物の筒状に形成したものであってもよい。更に、上記各実施形態の直状保護ダクト３１及び波付保護ダクト４１は、矩形枠状に形成されているが、これに限られるものではなく、円筒状、台形枠状などに形成したものであってもよい。
【符号の説明】
【００８１】
１    化粧カバー
２、１２、２２  化粧部
３、１３、２３  受口
１１    上蓋
１５、２４  固定孔
１６    突条部
１９    突片部
２１    下蓋
３１    直状保護ダクト
３４    基板
４１    波付保護ダクト
４２    環状凸部
４３    環状凹部
５１、５２  壁材
５３    貫通穴
５４、５５  壁面
５７    床材
５８    床面
Ｐ      冷媒管
【図１】
2011052831.tif 000003
【図２】
2011052831.tif 000004
【図３】
2011052831.tif 000005
【図４】
2011052831.tif 000006
【図５】
2011052831.tif 000007
【図６】
2011052831.tif 000008
【図７】
2011052831.tif 000009
【図８】
2011052831.tif 000010
【図９】
2011052831.tif 000011
【図１０】
2011052831.tif 000012
【図１１】
2011052831.tif 000013
【図１２】
2011052831.tif 000014
【図１３】
2011052831.tif 000015
【図１４】
2011052831.tif 000016
【図１５】
2011052831.tif 000017
【図１６】
2011052831.tif 000018
【図１７】
2011052831.tif 000019
【図１８】
2011052831.tif 000020
【図１９】
2011052831.tif 000021
【図２０】
2011052831.tif 000022
【図２１】
2011052831.tif 000023
【図２２】
2011052831.tif 000024
【図２３】
2011052831.tif 000025
【図２４】
2011052831.tif 000026
【図２５】
2011052831.tif 000027
【図２６】
2011052831.tif 000028